(57)【要約】【課題】空間的に関連した建築状況の測量結果を文書化するのに適した、直感的に容易に可搬型測量結果文書化システムを提供する。【解決手段】可搬型コンピュータ１は、距離測定器３と双方向に通信可能となるように統合して接続され、もしくは、データインターフェース２６を介して距離測定器３と接続可能であり、計算手段７および、光電子工学的な距離測定器３との相互作用のために構成したアルゴリズム８を実装する。さらに、可搬型コンピュータ１は、図形オブジェクト４のマーキング／表示に適した入力手段５／出力手段６を備える。【選択図】図１
2006308598.tif 000002
【特許請求の範囲】
【請求項１】
距離測定器（３）と双方向に通信可能となるように統合して接続され、もしくは、データインターフェース（２６）を介して距離測定器（３）と接続可能であり、計算手段（７）および、光電子工学的な距離測定器（３）との相互作用のために構成したアルゴリズム（８）を実装した可搬型コンピュータにおいて、
図形オブジェクト（４）のマーキング／表示に適した入力手段（５）／出力手段（６）を設けたことを特徴とする可搬型コンピュータ。
【請求項２】
複数回繰り返される一連の手続きにおいて、
マーキングステップ（１０）にて、利用者が前記出力手段（６）に表示した模式図（２４）のオブジェクト（４）を前記入力手段（５）を用いてマークする際に得られるマーキング結果（１２）を待ち、
時間的に連続した測量ステップ（１１）にて、利用者が光電子工学的な距離測定器（３）を用いて測定した測量結果（１５）を与えることで得られる測量結果（１３）を待ち、
その後直ちに、後に続く割り当てステップ（１４）にて、前記測量結果（１５）をマーキングしたオブジェクト（４）に割り当てることを特徴とする、請求項１に記載の可搬型コンピュータ（２）の計算手段（７）によって実行されるアルゴリズム。
【請求項３】
前記マーキングステップ（１０）にて、すでに図形化された基本要素として模式図（２４）に含まれるオブジェクト（４）をクリックすると、マークされることを特徴とする、請求項２に記載のアルゴリズム。
【請求項４】
前記マーキングステップ（１０）にて、図形化された基本要素がない領域をクリックすると、その前半部に設けたベクトル化ステップ（１６）において、その領域の図形情報をその時点で存在する単純図形化された基本要素に基づいて分析し、オブジェクト（４）として配置することを特徴とする、請求項３に記載のアルゴリズム。
【請求項５】
前記入力手段（５）を用いて新たに線描した線描オブジェクトが、オブジェクト（４）としてマークされることを特徴とする、請求項２乃至４のいずれか１項に記載のアルゴリズム。
【請求項６】
前記測量ステップ（１１）にて、その前半部に設けたモードチェンジステップ（１７）において、あるオブジェクトに特化した測量モードにある光電子工学的な距離測定器（３）を初期化することを特徴とする、請求項２乃至５のいずれか１項に記載のアルゴリズム。
【請求項７】
前記割り当てステップ（１４）にて、前記測量結果（１５）を、マークされたオブジェクト（４）の中心付近を示す数値として割り当てることを特徴とする、請求項２乃至６のいずれか１項に記載のアルゴリズム。
【請求項８】
前方に設けた初期化ステップ（１８）にて、新たな測量プロトコル（２０）を初期化し、利用者の入力が必要である入力フィールドおよび装置内部のデータを用いて、プロトコルデータ（２１）を作成することを特徴とする、請求項２乃至７のいずれか１項に記載のアルゴリズム。
【請求項９】
前記初期化ステップ（１８）にて、模式図（２４）を登録し、随意に可搬型コンピュータ（２）または光電子工学的な距離測定器（３）に統合したカメラ（２２）を用いて模式図（２４）を登録することを特徴とする、請求項８に記載のアルゴリズム。
【請求項１０】
連続する署名ステップ（２３）において、プロトコルデータ（２１）、模式図（２４）およびそれぞれのオブジェクト（４）に割り当てた測量結果（１５）を有する測量プロトコル（２０）が、利用者の入力が必要な署名（２５）を用いて署名され、セーブされることを特徴とする、請求項８または９記載のアルゴリズム。
【発明の詳細な説明】
【技術分野】
【０００１】
この発明は、特に建築業で使用される、可搬型コンピュータを基礎とする可搬型測量結果文書化システムおよびそのためのプログラムアルゴリズムに関するものである。
【背景技術】
【０００２】
建築状況を記録するために、測量結果、特に距離、面積、容積を記録する際に、今日、ほとんどの場合、建築状況の説明図として、手書図を描き、そこに、得られた測量結果を書き留め、幾何的なオブジェクトに割り当てる。文書化のため、追加的に建築状況のデジタル写真撮影を行うことも多い。このようなプロセスは、面倒で、誤りが多く、コストもかかる上、電子的に再利用ができず、無駄が多い。
【０００３】
照準線に沿って測定状況を撮影するための光学カメラと接続し、視差のない実際に測量を行った測量点を写真上にマークする可搬型レーザ距離測定器が知られている（例えば、特許文献１参照）。文書化及び後行程の作業のためにデータ（測量点の写真と測量結果）をデータインターフェースを通じて外部コンピュータに転送する。このようなシステムは、確かにレーザ距離測定器の照準線に沿って個別の測量結果を文書化するのには適しているが、原理的に、様々な基準点からの様々な目標点への多数の個別の測量からなる空間的に関連した建築状況の測量結果を文書化するのには適していない。
【特許文献１】ドイツ国特許出願公開第１００５５５１０号明細書
【０００４】
可搬型コンピュータに統合され、またはデータインターフェースを通じてこのようなコンピュータに接続する可搬型レーザ距離測定器が知られており（特許文献２参照）、このとき、コンピュータのキーボードとディスプレイはレーザ距離測定器との相互作用のために用いられる。改良型では、可搬型コンピュータに光学カメラを統合している。可搬型コンピュータが実行する、レーザ距離測定器の制御のためのコンピュータアルゴリズムが存在する。測量結果は、後行程で可搬型コンピュータにより加工可能である。測量結果文書化システムのための効率的なプログラムアルゴリズムは、詳細には記述されていない。特に、個々の計測の測量結果の信頼できる文書化は保証されていない。特に、建築業において補助的に利用するには、直感的で単純であるが信頼できる建築状況の記録がなされるということが重要である。
【特許文献２】国際公開第２００４０３６２４６号パンフレット
【発明の開示】
【発明が解決しようとする課題】
【０００５】
本発明の目的は、直感的で単純な可搬型コンピュータを基礎とする可搬型測量結果文書化システムとそのための効率的で信頼できるコンピュータアルゴリズムを実現することにある。
【課題を解決するための手段】
【０００６】
この目的は、基本的には、各独立請求項の特徴により達成される。従属請求項には、本発明の好適な実施態様を示す。
【０００７】
本発明の可搬型コンピュータは、距離測定器と双方向に通信可能となるように統合して接続され、もしくは、データインターフェースを介して距離測定器と接続可能であり、計算手段および、光電子工学的な距離測定器との相互作用のために構成したアルゴリズムを実装した可搬型コンピュータにおいて、図形オブジェクトのマーキング／表示に適した入力手段／出力手段を設けたことを特徴とするものである。
【０００８】
また、この発明のアルゴリズムは、複数回繰り返される一連の手続きにおいて、マーキングステップにて、利用者が前記出力手段に表示した模式図（写真、ＣＡＤ図、スケッチ）のオブジェクトを前記入力手段を用いてマークする際に得られるマーキング結果を待ち、時間的に（前方または後方に）連続した測量ステップにて、利用者が光電子工学的な距離測定器を用いて測定した測量結果を与えることで得られる測量結果を待ち、その後直ちに、後に続く割り当てステップにて、前記測量結果をマーキングしたオブジェクトに割り当てることを特徴とする、前記の可搬型コンピュータの計算手段によって実行されるアルゴリズムである。
【発明の効果】
【０００９】
このようなアルゴリズムによって、利用者が個々の計測のそれぞれを、建築状況の模式図上でオブジェクトを用いてマーク（記録）することは、直感的に必要であり実際上せざるをえない。このようにすることで、特に後で作業することによって発生しやすい、取り違えや配置の誤りを実質的に適切に防止することができる。
【００１０】
本発明の好適な実施態様においては、マーキングステップにおいて、すでに図形化された基本要素（直線、曲線、多角形、円など）として模式図に含まれるオブジェクトをクリックするとマークされ、これによって適切な図形入力手段（カーソル、入力ペン、タッチスクリーンなど）を用いて、オブジェクトを迅速かつ直感的にマークすることができる。
【００１１】
本発明の好適な実施態様においては、マーキングステップにて、図形化された基本要素がない領域をクリックすると、その前半部に設けたベクトル化ステップにおいて、その領域の図形情報をその時点で存在する単純図形化された基本要素に基づいて分析し、オブジェクトとして配置する。これによって、画像情報からクリックするのに適したオブジェクトを生成することができる。これに適したベクトル化アルゴリズムは、それ自体は本発明の対象ではないが、コンピュータの通常の画像処理プログラムの構成要素である。
【００１２】
本発明の好適な実施態様においては、入力手段を用いて新たに線描した線描オブジェクトが、オブジェクトとしてマークされ、これによって、容易かつ直感的にオブジェクトを、例えば、可搬型コンピュータの入力ペンによる手書きの線描として建築状況の模式図の中に挿入することができる。
【００１３】
本発明の好適な実施態様においては、測量ステップにて、その前半部に設けたモードチェンジステップにおいて、あるオブジェクトに特化した測量モード、特に、直線の場合：距離測量、平面の場合：面積測量（２個の個別の測量の積）、立体の場合：容積測量（３個の個別の測量の積）にある光電子工学的な距離測定器を初期化する。これによって、利用者の誤操作を実質的に適切に防ぐことができる。
【００１４】
本発明の好適な実施態様においては、割り当てステップにて、測量結果を、マークされたオブジェクトの中心付近を示す数値として割り当てる。これによって、個々の計測ごとに、測量結果の測量済みのオブジェクトに対する割り当てを直感的に識別できる。
【００１５】
本発明の好適な実施態様においては、前方に設けた初期化ステップにて、新たな測量プロトコルを初期化し、利用者の入力が必要である入力フィールドおよび装置内部のデータ（装置番号、日付、時間など）を用いて、プロトコルデータを作成する。これによって、文書化に必要なプロトコルデータが、常に存在することになる。
【００１６】
本発明の好適な実施態様においては、初期化ステップにおいて、模式図を登録し、本発明のさらなる好適な実施態様においては、可搬型コンピュータまたは光電子工学的な距離測定器に統合したカメラを用いて模式図を登録する。これによって、建築状況のさらなる画像文書作成が不要になる。
【００１７】
本発明の好適な実施態様においては、連続する署名ステップにおいて、プロトコルデータ、模式図およびそれぞれのオブジェクトに割り当てた測量結果を有する測量プロトコルが、利用者の入力が必要な署名を用いて署名され、セーブされる。これによって、さらなる加工作業とアーカイブ化のための完全な電子化された測量結果文書が準備される。
【００１８】
以下、図面を参照しつつ、本発明の２つの好適な実施例を説明する。
【実施例】
【００１９】
図１は、可搬型コンピュータ２からなる測量結果文書化システム１を示しており、このコンピュータ２は、電磁波の形式の無線のデータインターフェース２６を介して、レーザ距離測定器として構成する距離測定器３と双方向に通信可能となるように統合して接続する。コンピュータ２の内部には、光電子工学的な距離測定器との相互作用のために構成したアルゴリズム８を実装した計算手段７を備える。PDA（Personal Digital Assistant；携帯情報端末）として構成した可搬型コンピュータ２には、図形オブジェクト４のマーキング／表示のために、入力ペンとして構成する入力手段５とグラフィックディスプレイとして構成する出力手段６を設け、この出力手段６は、可搬型コンピュータ２（または距離測定器３）に統合したカメラ２２によって記録した建築状況を模式図として表示する。入力手段５によって新たに線描される図形オブジェクトは、オブジェクト４としてマークされる。オブジェクト４に対応する、光電子工学的な距離測定器３による計測によって、測量結果１５が得られる。
【００２０】
図２ａに示すように、時間順にモジュール化して並べたアルゴリズム８にはループ部分９があり、その中の複数回繰り返される一連の手順においてマーキングステップ１０と測量ステップ１１が実行される。このとき、図２ｂに示すように、マーキングステップ１０は測量ステップ１１よりも前に実行される。マーキングステップ１０においては、マーキング結果１２を待ち、このマーキング結果１２は、出力手段によって表示された模式図であるオブジェクト４を、利用者が入力手段を用いてクリックしてマークすることにより得られる。測量ステップ１１においては、測量結果１３を待ち、この測量結果１３は、利用者が光電子工学的な距離測定器を用いて測量した測量結果１５を与えることで得られる。後に続く割り当てステップ１４においては、マークしたオブジェクト４に測量結果を割り当てる。マーキングステップ１０には、任意に実行されるベクトル化ステップ１６を設け、このステップは、図形化した基本要素がない領域をクリックしたときに、ベクトル化アルゴリズムを用いてその領域の図形情報をその時点で存在する単純図形化した基本要素に基づいて分析し、オブジェクト４として割り当てる。図２aに示すように、測量ステップ１１には、任意に実行されるモードチェンジステップ１７を設け、このステップは、あるオブジェクトに特化した測量モードにある光電子工学的な距離測定器を初期化する。ループ部分９の前に設けた初期化ステップ１８において、新たな測量プロトコル２０を初期化し、利用者の入力が必要である入力フィールド（名称、プロジェクト）および装置内部のデータ（例えば、装置のID、日付、時間）を用いてプロトコルデータ２１を作成する。さらに、初期化ステップ１８において、可搬型コンピュータ２に統合したカメラ２２（図１参照）を用いて、建築状況の模式図２４を記録する。ループ部分９に連続する署名ステップ２３において、プロトコルデータ２１、模式図２４およびそれぞれのオブジェクト４に割り当てた測量結果１５が与えられた測量プロトコル２０は利用者の入力が必要な署名２５を用いて署名され、保存される。
【００２１】
図３に示した完全に電子化された測量プロトコル２０は、プロトコルデータ２１、建築現場の模式図２４および署名２５を備える。個々の計測（距離、面積）のそれぞれについては、測量結果１５を、マークされたオブジェクト４の中心付近にある数値的に示した値に割り当てる。
【図面の簡単な説明】
【００２２】
【図１】本発明の可搬型測量結果文書化システムの説明図である。
【図２ａ】アルゴリズムの説明図である。
【図２ｂ】図２ａに示すアルゴリズムを部分的に改良したアルゴリズムの説明図である。
【図３】電子化した測量文書の説明図である。
【符号の説明】
【００２３】
１  測量結果文書化システム
２  コンピュータ
３  距離測定器
４  オブジェクト
５  入力手段
６  出力手段
７  計算手段
８  アルゴリズム
９  ループ部分
１０  マーキングステップ
１１  測量ステップ
１２  マーキング結果
１３  測量結果
１４  割り当てステップ
１５  測量結果
１６  ベクトル化ステップ
１７  モードチェンジステップ
１８  初期化ステップ
２０  測量プロトコル
２１  プロトコルデータ
２２  カメラ
２３  署名ステップ
２４  模式図
２５  署名
２６  データインターフェース
【図１】
2006308598.tif 000003
【図２ａ】
2006308598.tif 000004
【図２ｂ】
2006308598.tif 000005
【図３】
2006308598.tif 000006